(57)【要約】【課題】顧客による貨幣の払い出し動作を快適に行うことができる金銭授受ユニットおよび商品販売データ処理ユニットを提供する。【解決手段】金銭授受ユニットは、商品販売データ処理装置から送信された決済に係る情報を表示する表示装置と、前記決済に係る金銭が一時的に載置される金銭載置部と、前記表示装置と前記金銭載置部とを配設し、当該表示装置の表示面のスイーベル調整を行うスイーベル機構と、を備える。【選択図】図３
2015153030.tif 000002
【特許請求の範囲】
【請求項１】
商品販売データ処理装置から送信された決済に係る情報を表示する表示装置と、
前記決済に係る金銭が一時的に載置される金銭載置部と、
前記表示装置と前記金銭載置部とを配設し、当該表示装置の表示面のスイーベル調整を行うスイーベル機構と、
を備えることを特徴とする金銭授受ユニット。
【請求項２】
前記スイーベル機構は、前記表示装置とともに前記金銭載置部も一体にスイーベル調整を行う、
ことを特徴とする請求項１記載の金銭授受ユニット。
【請求項３】
前記スイーベル機構上に設けられ、前記表示装置をチルト方向に回動自在に保持する固定部材を更に備える、
ことを特徴とする請求項２記載の金銭授受ユニット。
【請求項４】
前記金銭載置部は、前記表示装置の表示面に連接して設けられる、
ことを特徴とする請求項１ないし３の何れか一記載の金銭授受ユニット。
【請求項５】
商品販売データ処理を実行する商品販売データ処理装置と、
前記商品販売データ処理装置に近接させて配置される請求項１ないし４の何れか一記載の金銭授受ユニットと、
を備えることを特徴とする商品販売データ処理ユニット。
【発明の詳細な説明】
【技術分野】
【０００１】
本発明の実施形態は、金銭授受ユニットおよび商品販売データ処理ユニットに関する。
【背景技術】
【０００２】
小売店等での売上処理の際には、顧客からオペレータであるキャッシャに対して紙幣や硬貨を支払うことによる金銭授受が行なわれている。このような顧客とキャッシャとの金銭授受については、従来、釣り銭受皿を介して行われることが多い。このような金銭授受に用いられる釣り銭受皿は、商品販売データ処理装置であるＰＯＳ（Point  Of  Sales）端末の近傍に設置される。
【０００３】
一方、ＰＯＳ端末には、顧客に対して支払い合計金額などの決済に係る情報を顧客に向けて表示する客用ディスプレイが設けられている。顧客は、客用ディスプレイの表示内容を確認し、紙幣や硬貨（決済に係る金銭）を釣り銭受皿に支払う。
【０００４】
従来においては、釣り銭受皿とＰＯＳ端末に設けられた客用ディスプレイとは、それぞれ離れた位置に設置されている場合が一般的である。
【０００５】
しかしながら、上述のように釣り銭受皿と客用ディスプレイとが離れている場合、顧客の客用ディスプレイに対する支払い合計金額の確認の視線方向と、貨幣を支払う際の顧客の釣り銭受皿に対する視線方向とが異なることになる。このように客用ディスプレイに対する視線方向と釣り銭受皿に対する視線方向とが異なる場合には、顧客による貨幣の払い出し動作において顔を上下方向や左右方向に振る動作等が必要になって顧客の動作に余分な負荷を掛けることになる。
【発明の概要】
【発明が解決しようとする課題】
【０００６】
本発明が解決しようとする課題は、顧客による貨幣の払い出し動作を快適に行うことができる金銭授受ユニットおよび商品販売データ処理ユニットを提供することである。
【課題を解決するための手段】
【０００７】
実施形態の金銭授受ユニットは、商品販売データ処理装置から送信された決済に係る情報を表示する表示装置と、前記決済に係る金銭が一時的に載置される金銭載置部と、前記表示装置と前記金銭載置部とを配設し、当該表示装置の表示面のスイーベル調整を行うスイーベル機構と、を備える。
【図面の簡単な説明】
【０００８】
【図１】図１は、実施形態にかかるチェックアウトシステムの全体を示す斜視図である。
【図２】図２は、ＰＯＳ端末ユニットを主体とした外観を示す斜視図である。
【図３】図３は、客用ディスプレイおよび釣り銭受皿の取り付け構造を例示的に示す斜視図である。
【図４】図４は、客用ディスプレイおよび釣り銭受皿のスイーベル回転を示し、（ａ）は正対時、（ｂ）は時計回り時、（ｃ）は反時計回り時を示す図である。
【発明を実施するための形態】
【０００９】
図１は、実施形態にかかるチェックアウトシステム１０の全体を示す斜視図である。図１に示すように、商品販売データ処理システムであるチェックアウトシステム１０は、大別すると、決済処理を行うための商品販売データ処理装置であるＰＯＳ（Point  Of  Sales）端末１１と、このＰＯＳ端末１１に図示しない通信ネットワークを介して接続された商品データ入力端末装置１２と、を備えている。商品データ入力端末装置１２は、コードシンボルとしてのバーコードを読み取るバーコードスキャナ１３を備えている。また、商品データ入力端末装置１２は、買い物かご１４が載置される横長テーブル形状のレジ台１６上に立設されている。
【００１０】
ここで、チェックアウトシステム１０の１人制によるチェックアウト時の概要動作について説明する。チェックアウトレーンに並んだ顧客Ｃは、買い物かご１４に自己が入れた商品（群）Ｇの販売作業の流れの方向である方向Ｌに沿って進むこととなる。
【００１１】
これにより、例えば、店員であるオペレータＯは、商品（群）Ｇを構成している商品のそれぞれのバーコードをバーコードスキャナ１３により読み取らせる。商品（群）Ｇを構成している全ての商品の読み取りが完了すると、オペレータＯは、決済指示を行う。決済指示があると、商品データ入力端末装置１２は、ＰＯＳ端末１１に対して読み取った商品コード（商品コード群）及び決済指示を通知する。
【００１２】
次いで、オペレータＯは、ＰＯＳ端末１１に対して顧客Ｃの入金額を入力する。ＰＯＳ端末１１は、釣銭が必要な場合には、釣銭の払い出しを行うとともに、レシートを発行して処理を終了する。
【００１３】
ここで、図２はＰＯＳ端末１１を主体とした外観を示す斜視図である。図２に示すように、ＰＯＳ端末１１は、上部に、タッチパネルが設けられた液晶ディスプレイ等として構成されたタッチパネルディスプレイ２１と、サーマルプリンタなどとして構成されるプリンタ２２と、キーボード２３と、を備えている。また、ＰＯＳ端末１１は、クーポンを発行するクーポンプリンタ２５も接続する。
【００１４】
さらに、ＰＯＳ端末１１は、図１中、レーンの右側でチェックアウトを行う顧客Ｃ用の決済に係る各種情報（商品価格や支払い合計金額など）を表示する表示装置である矩形状の客用ディスプレイ２４と、現金（決済に係る金銭）を一時収納する金銭載置部である釣り銭受皿２６とを備えている。釣り銭受皿２６は、釣り銭受部２６ａが凹み形状で形成されており、レーンの右側でチェックアウトを行う顧客Ｃが貨幣を支払うとともに、オペレータＯがレーンの右側でチェックアウトを行う顧客Ｃに対する釣銭を置くためのものである。
【００１５】
なお、ＰＯＳ端末１１の下方には、ＰＯＳ端末１１に対して顧客Ｃの入金額を入力するとともに、ＰＯＳ端末１１からの指示に応じて釣銭の払い出しを行う釣銭機ユニット１５が設けられている。釣銭機ユニット１５は、硬貨投入・払出部２８及び紙幣投入・払出部２９が設けられている。
【００１６】
ＰＯＳ端末１１及び釣銭機ユニット１５は、レジ台となるラック３２の天板上に載置されている。
【００１７】
次いで、ＰＯＳ端末１１における客用ディスプレイ２４および釣り銭受皿２６の取り付け構造について詳述する。
【００１８】
ここで、図３は客用ディスプレイ２４および釣り銭受皿２６の取り付け構造を例示的に示す斜視図、図４は客用ディスプレイ２４および釣り銭受皿２６のスイーベル回転を示し、（ａ）は正対時、（ｂ）は時計回り時、（ｃ）は反時計回り時を示す図である。図３に示すように、客用ディスプレイ２４および釣り銭受皿２６は、客用ディスプレイ２４の表示面のスイーベル調整（表示面の向きの左右方向への調整）を行うためのスイーベル機構５０を備えている。スイーベル機構５０と、客用ディスプレイ２４と、釣り銭受皿２６とを主体として、金銭授受ユニット２７が形成される。そして、金銭授受ユニット２７とＰＯＳ端末１１とによって商品販売データ処理ユニットが構成されている。
【００１９】
スイーベル機構５０は、ベース部材５１と、客用ディスプレイ２４および釣り銭受皿２６を備える回転部材５２と、支持部材５３とを備えている。支持部材５３は、ラック３２の天板上に一端が固定されている。平板形状のベース部材５１は、支持部材５３の他端に取付けられている。一方、平板形状の回転部材５２は、ベース部材５１に対してネジ５４ａ，５４ｂにより固定される。
【００２０】
回転部材５２には、客用ディスプレイ２４を固定する固定部材５２ｃが立設されている。固定部材５２ｃは、回動支点となるヒンジ５２ｄを有しており、ヒンジ５２ｄによって客用ディスプレイ２４をチルト方向（上下方向）に回動自在に保持する。
【００２１】
なお、固定部材５２ｃのヒンジ５２ｄは、矩形状の客用ディスプレイ２４を、顧客Ｃから見て横置きと縦置きとに選択的に配置することができる。ここで、縦置きとは、縦の長さが横の長さより長い置き位置と定義する。横置きとは、横の長さが縦の長さより長い置き位置と定義する。
【００２２】
また、釣り銭受皿２６は、回転部材５２上において固定部材５２ｃに設けられた客用ディスプレイ２４に干渉されない位置に設けられている。しかしながら、釣り銭受皿２６と客用ディスプレイ２４とは、一体感を持たせるために、できる限り近づけて設置されることが望ましい。すなわち、釣り銭受皿２６は、客用ディスプレイ２４の表示面に連接して設けられる。これにより、レーンの右側でチェックアウトを行う顧客Ｃに対して釣り銭受皿２６がより接近するとともに、顧客Ｃが釣り銭受皿２６に対して貨幣を支払う際に、客用ディスプレイ２４に表示された決済に係る情報である支払い金額を確認しやすいレイアウトになっている。
【００２３】
ベース部材５１は、特に図示しないが、回転部材５２の固定部材５２ｃを挟んで対向する位置にネジ５４ａ，５４ｂを受ける一対のネジ穴が設けられている。一方、回転部材５２には、客用ディスプレイ２４および釣り銭受皿２６のスイーベル方向に沿う長孔５２ａおよび長孔５２ｂが、ベース部材５１に設けられた一対のネジ穴を結ぶ線を直径とする円周上に形成されている。そして、長孔５２ａ，５２ｂ内にそれぞれ挿入されたネジ５４ａ，５４ｂは、回転部材５２を長孔５２ａ，５２ｂに沿って移動可能に保持する位置でベース部材５１の一対のネジ穴に対して固定される。
【００２４】
これにより、図４に示すように、客用ディスプレイ２４および釣り銭受皿２６は、長孔５２ａ，５２ｂの範囲でスイーベル機構５０によるスイーベル方向における一体での回動操作が可能となっている。
【００２５】
このように、実施形態によれば、客用ディスプレイ２４および釣り銭受皿２６をスイーベル機構５０上に配設し、スイーベル機構５０によって客用ディスプレイ２４および釣り銭受皿２６を一体にスイーベル調整を行うことができるので、コンパクトな構造を保ちつつ、客用ディスプレイ２４の表示画面を見易いレイアウトに調整することができるとともに、釣り銭受皿２６に対する客の操作性も調整可能とすることができる。
【００２６】
したがって、客は、会計時に客用ディスプレイ２４の表示内容（決済に係る情報）の確認がし易くなり、客用ディスプレイ２４に表示された決済に係る情報である支払い合計金額を見ながら会計をすることができる。これにより、顧客の動作に余分な負荷が掛かることがなくなり、客のストレスが軽減されるとともに、会計に掛かる時間が短縮される。
【００２７】
このように客用ディスプレイ２４および釣り銭受皿２６を一体として回転させるメリットは、スイーベル機構５０を追加しても構造をコンパクトにすることができることである。このため、客用ディスプレイ２４および釣り銭受皿２６のレイアウト関係を崩すことなく上記効果を提供可能としている。また、スイーベル機構５０の追加によるコストアップも最小限に抑えることが可能である。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１１      商品販売データ処理装置
２４      表示装置
２６      金銭載置部
２７      金銭授受ユニット
５０      スイーベル機構
５２ｃ    固定部材
【先行技術文献】
【特許文献】
【００３０】
【特許文献１】特開２０００−２８５３１５号公報
【図１】
2015153030.tif 000003
【図２】
2015153030.tif 000004
【図３】
2015153030.tif 000005
【図４】
2015153030.tif 000006